(57)【要約】【課題】寝具等の敷物として十分なクッション性を有すると共に、きわめて良好な通気性を合わせ持っており、敷物の内部で湿気が保持されにくく、特に使用者が汗をかきやすい夏用の敷物として好適な茣蓙敷物を提供する。【解決手段】茣蓙敷物(A)は、高分子材料を発泡させて形成したマット状のクッション材(1)と、クッション材(1)の上に積層され、藺草を織成して形成した茣蓙(2)とにより構成されており、クッション材(1)は、連続気泡構造を有し、比重が０．０２〜０．０４であり、クッション材(1)と茣蓙(2)は、積層して外周部に縁布(3)を配して縫着され、縫着した部分で囲まれるクッション材(1)と茣蓙(2)の間に空隙又は空気層(5)を形成して一体化されている。【選択図】図１
2014073206.tif 000002
【特許請求の範囲】
【請求項１】
高分子材料を発泡させて形成したマット状のクッション材と、
該クッション材の上に積層され、藺草を織成して形成した茣蓙と、
により構成されており、
前記クッション材は、連続気泡構造を有し、比重が０．０２〜０．０４であり、
前記クッション材と前記茣蓙は、積層して外周部に縁布を配して縫着され、該縫着した部分で囲まれる前記クッション材と前記茣蓙の間に空隙又は空気層を形成して一体化されている、
茣蓙敷物。
【請求項２】
クッション材の厚さが少なくとも２０ｍｍである、
請求項１記載の茣蓙敷物。
【発明の詳細な説明】
【技術分野】
【０００１】
本発明は、茣蓙敷物に関するものである。更に詳しくは、寝具等の敷物として十分なクッション性を有すると共に、きわめて良好な通気性を合わせ持っており、敷物の内部で湿気が保持されにくく、特に使用者が汗をかきやすい夏用の敷物として好適な茣蓙敷物に関する。
【背景技術】
【０００２】
例えば寝具として使用される敷物には様々な種類があり、マット状のクッション材の上に表面材を積層したものもその一つである。このような敷物は、使用者がかいた汗による湿気を内部に保持しないように、良好な通気性を有することが好ましい。これには、通気性が良好なクッション材を使用することが重要である。
【０００３】
ところで、敷物に使用されるクッション材は、例えばプラスチックなどの高分子材料に泡を含ませてつくる、ウレタンフォーム（ポリウレタン発泡体）等の多孔質材料に代表される。ウレタンフォームは連続気泡型でクッション性にすぐれるが、一般に気泡のセルが細かいため通気性にやや劣る。
このようなウレタンフォームの課題を改善するものの一例として、本願発明者が提案したクッション材及びマット積層構造体（特許文献１参照）がある。
【０００４】
前記特許文献１記載のクッション材及びマット積層構造体は、まずクッション材が高分子材料を発泡させてつくられており、連続気泡構造を有すると共に比重が０．０２〜０．０４であり、マット積層構造体は、このクッション材の上に、吸水性または吸湿性及び通気性を有するバスマットやキッチンマット等のマット体を積層した構造である。
前記クッション材及びマット積層構造体は、すぐれたクッション性と透湿性、通気性を有しており、濡れても速乾性があるというものである。
【先行技術文献】
【特許文献】
【０００５】
【特許文献１】特開２００９−３５６１２号公報
【発明の概要】
【発明が解決しようとする課題】
【０００６】
前記従来のマット積層構造体は、前記のような機能性を有することから、特に水廻りで使用する敷物として実用性が高い。しかしながら、その反面、例えば表面材として畳表様の茣蓙を使用した寝茣蓙等の寝具としての使用は、十分には考慮していない。
【０００７】
すなわち、従来公報の明細書の図４を参照して説明したマット積層構造体<M>は、下側のクッション材<C>と上側のマット体<3>が一体化されておらず、この構造では寝具としては使いにくい。また、仮にクッション材<C>とマット体<3>を一体構造として使いやすくしても、マット体<3>は、主に水廻りで使用する用途から、水気を取る（吸水性がよい）ことを優先する材料であって、寝具としての使用には全体的に通気性に劣る。
【０００８】
（本発明の目的）
そこで、本発明の目的は、例えば寝具等の敷物として十分なクッション性を有すると共に、きわめて良好な通気性を合わせ持っており、敷物の内部で湿気が保持されにくく、特に使用者が汗をかきやすい夏用の敷物として好適な茣蓙敷物を提供することである。
【課題を解決するための手段】
【０００９】
上記課題を解決するために本発明が講じた手段は次のとおりである。
本発明は、
高分子材料を発泡させて形成したマット状のクッション材と、
該クッション材の上に積層され、藺草を織成して形成した茣蓙と、
により構成されており、
前記クッション材は、連続気泡構造を有し、比重が０．０２〜０．０４であり、
前記クッション材と前記茣蓙は、積層して外周部に縁布を配して縫着され、該縫着した部分で囲まれる前記クッション材と前記茣蓙の間に空隙又は空気層を形成して一体化されている、
茣蓙敷物である。
【００１０】
本発明は、
クッション材の厚さが少なくとも２０ｍｍであるのがより好ましく、推奨される。
【００１１】
クッション材の比重が０．０２に満たないと、繊維状の部分が細くなって強度や撓み性、弾性が弱くなる傾向があり、クッション材としての機能を十分に発揮できなくなる傾向がある。また、クッション材の比重が０．０４を超えると、比重が大きくなり取り扱いがしにくくなる傾向があり、さらには気泡のセルの占める割合が少なくなるか、又はセルが細かくなるため、通気性が十分に発揮できなくなる傾向がある。
【００１２】
本明細書及び特許請求の範囲にいう「茣蓙敷物」としては、例えば休息や就寝の際に使用する寝茣蓙、あるいは様々な形状の座布団様の敷物等があげられるが、これらに限定はされない。
【００１３】
（作用）
本発明に係る茣蓙敷物の作用を説明する。
茣蓙敷物は、茣蓙と積層して使用されるクッション材が連続気泡構造を有しており、比重が０．０２〜０．０４であるので、気泡のセルが十分に大きく軽量であり、取り扱い性にすぐれていると共に、通気性にもすぐれている。
【００１４】
また、茣蓙敷物は、この構造により、例えば寝具等の敷物として十分なクッション性を有し、しかも、外周部の縫着した部分で囲まれるクッション材と茣蓙の間に空隙又は空気層を形成しているので、クッション材と茣蓙の通気性とも相俟って、全体としてもきわめて良好な通気性を有している。
したがって、使用において、敷物の内部で湿気が保持されにくいので、特に、使用者が汗をかきやすい夏用の寝茣蓙等の敷物として好適である。
【００１５】
また、使用時において床面と接触するクッション材は、いわゆる高発泡であり、これにより床面との摩擦力が大きくなって、床材がフローリング、畳あるいは絨毯やカーペット等である場合に滑り止め効果にすぐれている。特に、床材が絨毯やカーペット等、表面に起毛や低突起がある床材である場合は、クッション材の繊維体１０又は気泡痕と床材の起毛や低突起とが絡んで、よりすぐれた滑り止め効果を発揮できる。
【発明の効果】
【００１６】
本発明は、茣蓙と積層して使用されるクッション材の気泡のセルが十分に大きく、通気性にすぐれている。しかも、外周部の縫着した部分で囲まれるクッション材と茣蓙の間に空隙又は空気層を形成しているので、クッション材と茣蓙の通気性とも相俟って、例えば寝具等の敷物として十分なクッション性を有すると共に、きわめて良好な通気性を有している。
したがって、使用において、敷物の内部で湿気が保持されにくいので、特に、使用者が汗をかきやすい夏用の寝茣蓙等の敷物として好適である。
【図面の簡単な説明】
【００１７】
【図１】本発明に係る茣蓙敷物の一実施の形態を示す一部切欠斜視図。
【図２】図１に示す茣蓙敷物の裏面側から視た一部拡大斜視説明図。
【図３】図１に示す茣蓙敷物の縁部の拡大断面図。
【図４】クッション材の平面視部分拡大説明図。
【図５】クッション材の気泡のセルを表す拡大説明図。
【発明を実施するための形態】
【００１８】
〔実施の形態〕
【００１９】
本発明を図面に示した実施の形態に基づき詳細に説明する。
図１ないし図５を参照する。
茣蓙敷物Ａは、平面視長方形状の敷物であり、本実施の形態では、長さ１８０ｃｍ、幅９０ｃｍ（約一畳分の大きさ）に形成されている。茣蓙敷物Ａは、クッション材１と、クッション材１の上面に積層された茣蓙２と、この積層体の外周縁部に全周にわたり縫い付けた縁布３で構成されている。茣蓙２は、藺草を長方形状に織成した、いわゆる畳表であり、通気性を有している。
【００２０】
クッション材１は、高分子材料を発泡させて、平面視長方形状のマット状に形成されている。クッション材１は、本実施の形態では、高分子材料としてウレタンを採用しているが、発泡体形成後に繊維状となった材料が、所要の撓み性、変形性又は弾性等を有し、クッション材１に敷物としての使用に十分なクッション性を付与することができれば、ポリエチレン等、他の高分子材料を採用してもよい。
【００２１】
クッション材１の厚さは、特に限定されるものではなく、適宜設定可能であるが、前記のように十分なクッション性を持たせるには、少なくとも２０ｍｍ（例えば２０ｍｍ〜５０ｍｍ程度）であるのが好ましい。クッション材１は、本実施の形態では、前記寸法で長方形状のマット状に形成されているが、これに限定されるものではなく、例えば茣蓙敷物が座布団である場合等は、八角形状等の各種多角形状で一般的な座布団と同様の大きさのマット状とする等、必要に応じて様々な形状に形成することができる。
【００２２】
さらに、クッション材１は、連続気泡構造の発泡体であり、極く細く弾性を有する木枝状の繊維体１０で組み上げられた多数のセル（符号省略）を有する形態である（図４、図５参照）。クッション材１は、発泡体としての比重が０．０２〜０．０４の範囲となるように形成されている。これにより、クッション材１は、比較的厚く、すなわち厚さ２０ｍｍ以上に形成されているにも関わらず、繊維体１０の間に形成された多数の空隙部１１は、クッション材１の表裏側を貫通した孔として確認することができる（図４参照）。
【００２３】
また、縁布３は、図３に示すように、前記クッション材１と茣蓙２からなる積層体（符号省略）の外周縁部に全周にわたり縫い付けられている。縁布３は、積層体の外周縁部でクッション材１と茣蓙２を表裏側から挟み、糸４で縫製されている。これにより、クッション材１と茣蓙２及び縁布３は一体化されている。そして、クッション材１の上面と茣蓙２の下面の間には、接着剤等は介在しておらず、前記糸４で縫着された部分で囲まれるほぼ全体に、空隙又は空気層５が形成されている。
【００２４】
（作用）
図１ないし図５を参照して、茣蓙敷物Ａの作用を説明する。
前記したように、クッション材１と茣蓙２は、縁布３で縫い付けられた部分以外は縫い付けられていない。これにより、通常では経糸の長手方向に全体に小さく波打ったようになり平坦にはなりにくく、織成されている藺草により裏面に形成される細かい凹凸を有する茣蓙２と、同じく茣蓙２との接触面が平坦とはならないクッション材１との間には、常に空隙又は空気層５が形成される。また、クッション材１に積層されている茣蓙２は、通気性を有している。
【００２５】
一方、クッション材１は、連続気泡構造を有し、しかも、比重が０．０２〜０．０４であるので、軽量であり取り扱い性にすぐれている。また、クッション材１は、弾性を有する多数の繊維体１０によって前記したように厚さ２０ｍｍ以上に厚く形成されているにも関わらず、空隙部１１が表裏側を貫通した孔として、上下方向から多数確認することができる（図４参照）。
【００２６】
この構造によって、クッション材１はすぐれたクッション性を有すると共に、すぐれた透湿性及び通気性を合わせ持っており、前記茣蓙２の通気性とも相俟って、茣蓙敷物Ａ全体としてきわめて良好な通気性を有している。したがって、茣蓙敷物Ａの内部で湿気が保持されにくく、特に使用者が汗をかきやすい夏用の敷物として好適である。
【００２７】
また、使用時において床面と接触するクッション材１は、いわゆる高発泡であり、これにより床面との摩擦力が大きくなって、床材がフローリング、畳あるいは絨毯やカーペット等である場合に滑り止め効果にすぐれている。特に、床材が絨毯やカーペット等、表面に起毛や低突起がある床材である場合は、クッション材１の繊維体１０又は気泡痕と床材の起毛や低突起とが絡んで、よりすぐれた滑り止め効果を発揮できる。
【００２８】
なお、本明細書で使用している用語と表現は、あくまでも説明上のものであって、なんら限定的なものではなく、本明細書に記述された特徴およびその一部と等価の用語や表現を除外する意図はない。また、本発明の技術思想の範囲内で、種々の変形が可能であるということは言うまでもない。
【符号の説明】
【００２９】
Ａ  茣蓙敷物
１  クッション材
２  茣蓙
３  縁布
４  糸
５  空気層
１０  繊維体
１１  空隙部
【図１】
2014073206.tif 000003
【図２】
2014073206.tif 000004
【図３】
2014073206.tif 000005
【図４】
2014073206.tif 000006
【図５】
2014073206.tif 000007